(57)【要約】【課題】キャッチ式の引戸用制動装置に対して、戸締まりのアシスト機能を付加する。【解決手段】開閉方向にバネ作用を有する左右一対の制動片５Ａ、５Ｂによりピン係合溝５ａが形成されるとともに、引戸用ランナ６を走行させるレール端部に配設され、前記ランナ６に設けられたピン部材１３Ａがピン係合溝５ａに嵌入する際にバネ作用により引戸２の慣性力を減殺するための引戸用制動装置５において、前記ピン係合溝５ａは、奥端部の溝幅を前記ピン部材１３Ａの径とほぼ一致させ、ピン係合溝５ａの中間に形成された最狭部から前記奥端部までテーパー状に漸次溝幅を拡大させるように形成する。【選択図】  図６
2004285746.tif 000002
【特許請求の範囲】
【請求項１】
開閉方向にバネ作用を有する左右一対の制動片によりピン係合溝が形成されるとともに、引戸用ランナを走行させるレール端部に配設され、前記引戸用ランナに設けられたピン部材が前記ピン係合溝に嵌入する際にバネ作用により引戸の慣性力を減殺するための引戸用制動装置において、
前記ピン係合溝は、奥端部の溝幅を前記ピン部材の径とほぼ一致させ、ピン係合溝の中間に形成された最狭部から前記奥端部までテーパー状に漸次溝幅を拡大させるように形成してあることを特徴とする引戸用制動装置。
【請求項２】
前記最狭部から前記奥端部までのテーパー長は少なくとも２０ｍｍ以上としてある請求項１記載の引戸用制動装置。
【請求項３】
前記左右一対の制動片の先端には、相反する外側方向に突出する係合突起が夫々設けられ、これら係合突起をレールに形成された係合溝に係合させることにより前記制動片の横ブレを防止してある請求項１，２いずれかに記載の引戸用制動装置。
【請求項４】
前記ピン係合溝は最狭部から開口部まで漸次溝幅を拡大させてある請求項１〜３いずれかに記載の引戸用制動装置。
【発明の詳細な説明】
【０００１】
【発明の属する技術分野】
本発明は、引戸用ランナを走行させるレール端部に配設され、引戸を閉止する際の慣性力を減殺するとともに、跳ね返りを防止するための引戸用制動装置に関する。
【０００２】
【従来の技術】
従来より、引戸においては、軽い力で開閉操作が行えるようにランナ（ローラ装置）を設けたものが多く提供されている。しかし、引戸を勢いよく閉めると、衝突音が発生したり、戸枠から跳ね返って隙間ができたりすることがあるため、この衝突音や跳ね返りを防止するためにレールの端部に引戸の慣性力を減殺させる制動装置を設けることが行われている。
【０００３】
例えば、下記特許文献１においては、図８に示されるような引戸用制動装置３０が提案されている。この引戸用制動装置３０は、バネ作用を有する左右一対の制動片３１，３１（板バネ部材）により係合溝が形成された部材であって、レール端部に配設され、前記引戸３２に設けられた凸状部材３３が前記係合溝に嵌入する際にバネ作用により引戸３２の慣性力を減殺するようになっている。このような制動装置は、通常「引戸用キャッチ」と呼ばれているものである。
【０００４】
一方、例えば収納棚、食器棚、陳列棚等の収納家具等の引戸においては、引戸を閉止位置近傍まで移動させると、引戸に閉方向の付勢力が加わり、閉止位置まで誘導して隙間を空けることなく完全な閉状態とする戸締り装置（自閉装置）が設けられることがある。このような戸締り装置としては、例えば下記特許文献２などを挙げることができる。
【０００５】
【特許文献１】
登録実用新案第３００６６４５号公報
【特許文献２】
特開２００２−３３９６４９号公報
【０００６】
【発明が解決しようとする課題】
前記引戸用制動装置３０により、引戸３２の衝突音や跳ね返り等が防止できるようになるが、戸締まりをアシストする機能までをも有するものではない。
【０００７】
一方、引戸の戸締り装置は構造が複雑であるとともに、戸枠と合わせた設計を必要とし、一般的な引戸に組込むことは困難であるとともに、価格が高価であるなどの問題があった。
【０００８】
そこで本発明の主たる課題は、キャッチ式の引戸用制動装置に対して、戸締まりのアシスト機能を付加することにある。
【０００９】
【課題を解決するための手段】
前記課題を解決するための請求項１に係る本発明として、開閉方向にバネ作用を有する左右一対の制動片によりピン係合溝が形成されるとともに、引戸用ランナを走行させるレール端部に配設され、前記引戸用ランナに設けられたピン部材が前記ピン係合溝に嵌入する際にバネ作用により引戸の慣性力を減殺するための引戸用制動装置において、
前記ピン係合溝は、奥端部の溝幅を前記ピン部材の径とほぼ一致させ、ピン係合溝の中間に形成された最狭部から前記奥端部までテーパー状に漸次溝幅を拡大させるように形成してあることを特徴とする引戸用制動装置が提供される。
【００１０】
上記請求項１記載の本発明においては、ピン係合溝の溝形状に関し、奥端部の溝幅を前記ピン部材の径とほぼ一致させ、ピン係合溝の中間に形成された最狭部から前記奥端部までテーパー状に漸次溝幅を拡大させるように形成した。従って、前記制動片からピン部材に作用する力の奥端部方向分力により前記ピン部材が自然に奥端部側へ誘導され、奥端部位置にきっちりと停止するようになるため、引戸を閉め残しなく完全に閉止できるようになる。
【００１１】
請求項２に係る本発明として、前記最狭部から前記奥端部までのテーパー長は少なくとも２０ｍｍ以上としてある請求項１記載の引戸用制動装置が提供される。
【００１２】
請求項３に係る本発明として、前記左右一対の制動片の先端には、相反する外側方向に突出する係合突起が夫々設けられ、これら係合突起をレールに形成された係合溝に係合させることにより前記制動片の横ブレを防止してある請求項１，２いずれかに記載の引戸用制動装置が提供される。前記制動片は張出長が長い部材であるため、ピン部材が接触した際に、左右方向に横ブレすることが予想される。従って、前記制動片の先端に係合突起を設け、これをレールの係合溝に係合させることにより横ブレを無くすことが可能となる。
【００１３】
請求項４に係る本発明として、前記ピン係合溝は最狭部から開口部まで漸次溝幅を拡大させてある請求項１〜３いずれかに記載の引戸用制動装置が提供される。ピン係合溝内にピン部材が円滑に導入されるように、開口部は最狭部から漸次拡大させるようにするのが望ましい。
【００１４】
【発明の実施の形態】
以下、本発明の実施の形態について図面を参照しながら詳述する。
【００１５】
図１は、本発明が適用された収納棚の全体斜視図であり、図２は本発明に係る引戸用制動装置取付け部分の正面図、図３はそのＩＩＩ−ＩＩＩ線矢視図、図４は図２のＩＶ−ＩＶ線矢視図である。
【００１６】
図１に示されるように、引戸２は、例えばアルミ等の金属形材からなる上框３Ａ、下框３Ｂ及び縦框３Ｃ、３Ｄによって構成されたフレーム枠３内にガラス等のパネル７が嵌め込まれたものであり、前記引戸２のフレーム枠３の裏面側にはランナ装置６（以下、単にランナという。）が取り付けられている。
【００１７】
一方、収納棚１は、上板１Ａの端面と下板１Ｂの端面とにそれぞれ水平方向に沿って上レール４Ａ，下レール４Ｂが設けられ、収納棚１の開口幅約１／３幅とされる２枚の引戸２，２が前記上レール４Ａおよび下レール４Ｂを走行ガイドとして案内される前記ランナ６により開閉自在に設けられている。なお、図示の例では、引戸２が２枚設けられた両開きタイプとしたが、収納棚１の開口幅約１／２とされる引戸２が１枚のみ設けられた片開きタイプであってもよい。
【００１８】
前記ランナ６は、図２および図３に示されるように、上框３Ａと縦框３Ｄとが交差する隅部において、一辺側６Ａを上框３Ａ方向に配向するとともに、他辺側６Ｂを縦框３Ｄ方向に沿って配向した状態で取り付けられている。前記一辺側６Ａには、先端側にローラ部材９が支軸１３によって支持されているとともに、前記支軸１３を上レール４Ａ側へ突出させ、引戸用制動装置５に対して係脱可能とされるピン部材１３Ａを一体的に兼用するようにしている。
【００１９】
一方、前記他辺側６Ｂには、先端側より、水平方向に長孔の仮固定用ネジ取付孔６ａと、丸孔状の２つの本固定用ネジ取付孔６ｂ、揺動軸用ネジ孔６ｃが形成されており、先ず揺動軸用ネジ孔６ｃにネジ１６を螺入し、ランナ６を揺動可能な状態で取り付けるとともに、長孔の仮固定用ネジ取付孔６ａに仮止めネジ１４を螺入しておくけれども締結せず、ランナ６を揺動可能な状態としておく。その後、ローラ部材９を上レール４Ａ位置に位置決めした後、仮止めネジ１４を螺入してその位置状態で仮止めし、次いで本固定用ネジ取付孔６ｂに本固定用ネジ１５を螺入して堅固に固定を図るようにする。
【００２０】
前記ローラ部材９は、図３に示されるように、実際に上レール４Ａを走行する走行ローラ部９ａと、前記走行ローラ部９ａの外側に隣接して一体的に形成された若干大径の外れ止めローラ部９ｂとからなり、一方前記上レール４Ａは、断面略溝型形状を成し、部材長手方向に沿って適宜の間隔で形成されたネジ取付孔４ｂ、４ｂ…から螺入された固定ネジ１１，１１…によって上板１Ａの端面および下板１Ｂの端面にそれぞれ固定されている。また、ローラ走行部となる下フランジには凹溝４ａが形成され、この凹溝４ａの外側壁部の上面を前記走行ローラ部９ａが走行し、前記凹溝４ａ内に前記外れ止めローラ部９ｂが嵌合するようになっており、引戸２が容易に外れないように保持されている。前記上レール４Ａの端部に対し、本発明に係る引戸用制動装置５が配置されている。
【００２１】
前記引戸用制動装置５は、詳細には図５に示されるように、開閉方向にバネ作用を有する左右一対の制動片５Ａ、５Ｂによりピン係合溝５ａが形成された部材であり、他端側にビス孔５ｃを有する取付用ベース板５Ｃが一体的に設けられ、図４に示されるように、固定ビス１２により上レール４Ａの端部に固定されるようになっている。そして、前記ランナ６に設けられたピン部材１３Ａが前記ピン係合溝５ａに嵌入する際に、バネ作用により引戸２の慣性力を減殺し、戸閉止時の衝突音や跳ね返りを防止するようになっている。
【００２２】
前記引戸用制動装置５について、図６に基づいて更に詳述すると、前記ピン係合溝５ａは、奥端部の溝幅Ｄを前記ピン部材１３Ａの径とほぼ一致させ、ピン係合溝５ａの中間に形成された最狭部から前記奥端部までテーパー状に漸次溝幅を拡大させるように形成している。この場合、前記最狭部から前記奥端部までテーパー長Ｌは少なくとも２０ｍｍ以上、好ましくは３０ｍｍ以上とするのが望ましい。なお、前記ピン係合溝５ａの開口側では、前記最狭部から開口部まで漸次溝幅を拡大させ、ピン１３Ａが円滑にピン係合溝５ａ内に導かれるようにしてある。
【００２３】
前記引戸２を閉め、ランナ６のピン部材１３Ａが前記制動装置５のピン係合溝５ａ内に入り込み前記最狭部を越えると、図７に示されるように、ピン部材１３Ａの両側から前記制動片５Ａ、５Ｂによって挟閉方向に力が加わるようになる。この挟閉方向の力Ｆは鉛直方向成分ＦＹと、奥端部方向成分ＦＸとに分解することができ、前記奥端部方向成分ＦＸの力にアシストされながらピン部材１３Ａは自然にピン係合溝５ａの奥端部側に誘導され、引戸２の完全な閉止位置となる奥端部位置まで至り、引戸２が閉め残しなく完全に閉止されるようになる。
【００２４】
ところで、前記制動片５Ａ、５Ｂの先端部には、相反する外側方向に突出する係合突起５ｄ、５ｅが夫々設けられ、図３に示されるように、これら係合突起５ｄ、５ｅを上レール４Ａに形成された係合溝４ｃに係合させることにより前記制動片５Ａ、５Ｂの横ブレが防止されるようになっている。
【００２５】
以上、引戸２の上端右側に配置されるランナ６及び引戸用制動装置５について説明を行ったが、引戸用制動装置５は下端側についても対称配置で同様に取り付けることが可能である。また、収納棚２の左側に設けられる引戸２についても同様である。
【００２６】
（他の実施形態例）
（１）上記実施形態例では収納棚１の開口に設けられる引戸２に対して本発明を適用した例について詳述したが、本発明は引戸一般に適用が可能である。
【００２７】
【発明の効果】
以上詳説のとおり本発明によれば、キャッチ式の引戸用制動装置に対して、戸締まりのアシスト機能を付加することができ、引戸を閉め残しなくきっちりと閉止できるようになる。
【図面の簡単な説明】
【図１】本発明が適用された収納棚の全体斜視図である。
【図２】本発明に係る引戸用制動装置５の取付け状態を示す正面図である。
【図３】そのＩＩ−ＩＩ線矢視図である。
【図４】図２のＩＶ−ＩＶ線矢視図である。
【図５】引戸用制動装置５の正面図である。
【図６】引戸用制動装置５の要部拡大図である。
【図７】引戸用制動装置５によるアシスト機能の説明図である。
【図８】従来に係る引戸用制動装置の正面図である。
【符号の説明】
１…収納棚、２…引戸、３…フレーム枠、３Ａ…上框、３Ｂ…下框、３Ｃ・３Ｄ…縦框、４Ａ…上レール、４Ｂ…下レール、５…引戸用制動装置、５Ａ・５Ｂ…制動片、５ａ…ピン係合溝、５ｄ・５ｅ…係合突起、６…ランナ、７…パネル、９…ローラ部材、１３Ａ…ピン部材
【図１】
2004285746.tif 000003
【図２】
2004285746.tif 000004
【図３】
2004285746.tif 000005
【図４】
2004285746.tif 000006
【図５】
2004285746.tif 000007
【図６】
2004285746.tif 000008
【図７】
2004285746.tif 000009
【図８】
2004285746.tif 000010